【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
界面活性剤または界面活性剤の残分で被覆されたフィルムであって、
前記フィルムがエチレンコポリマーまたは変性エチレンコポリマーおよび粘着性付与剤を含むか、またはそれらから製造され、
前記エチレンコポリマーがエチレンとモノマー約５〜約５０重量％とから誘導された反復単位を含むコポリマーまたはターポリマーあるいはテトラポリマーであり、
前記モノマーが酢酸ビニル、ビニルアセテート、プロピオン酸ビニル、アクリル酸、メタクリル酸、エタクリル酸、ビニルアセテート、メチルアクリレート、エチルアクリレート、メチルメタクリレート、エチルメタクリレート、プロピルアクリレート、プロピルメタクリレート、イソプロピルアクリレート、イソプロピルメタクリレート、ブチルアクリレート、ブチルメタクリレート、イソブチルアクリレート、イソブチルメタクリレート、ｔ−ブチルアクリレート、ｔ−ブチルメタクリレート、オクチルアクリレート、オクチルメタクリレート、ウンデシルアクリレート、ウンデシルメタクリレート、オクタデシルアクリレート、オクタデシルメタクリレート、ドデシルアクリレート、ドデシルメタクリレート、２−エチルヘキシルアクリレート、２−エチルヘキシルメタクリレート、イソボルニルアクリレート、イソボルニルメタクリレート、ラウリルアクリレート、ラウリルメタクリレート、２−ヒドロキシエチルアクリレート、２−ヒドロキシエチルメタクリレート、グリシジルアクリレート、グリシジルメタクリレート、ポリ（エチレングリコール）アクリレート、ポリ（エチレングリコール）メタクリレート、ポリ（エチレングリコール）メチルエーテルアクリレート、ポリ（エチレングリコール）メチルエーテルメタクリレート、ポリ（エチレングリコール）ベヘニルエーテルアクリレート、ポリ（エチレングリコール）ベヘニルエーテルメタクリレート、ポリ（エチレングリコール）４−ノニルフェニルエーテルアクリレート、ポリ（エチレングリコール）４−ノニルフェニルエーテルメタクリレート、ポリ（エチレングリコール）フェニルエーテルアクリレート、ポリ（エチレングリコール）フェニルエーテルメタクリレート、ジメチルマレエート、ジエチルマレエート、ジブチルマレエート、ジメチルフマレート、ジエチルフマレート、ジブチルフマレート、ジメチルフマレートまたはそれらの２種以上の組み合わせであり、
前記粘着性付与剤がパラ−クマロン−インデン樹脂、テルペン樹脂、ブタジエンスチレン樹脂、ポリブタジエン樹脂、炭化水素樹脂、ロジンまたはそれらの２種以上の組み合わせを含み、
前記モノマーがビニルアルカン酸、アクリル酸、アルキルアクリル酸またはアルキルアクリレートあるいはそれらの２種以上の組み合わせであり、前記モノマーが約２０個以下の炭素原子を含み、
前記界面活性剤がアルカン酸またはそのアンモニウム塩または金属塩、アルカノール、アルコキシル化化合物、第四アンモニウム塩、アルカリ金属アルキルスルフェート、アルカリールスルホン酸のアルカリ金属塩、１−アルキルピリジニウム塩またはそれらの２種以上の組み合わせであり、
前記界面活性剤または界面活性剤の残分対前記エチレンコポリマーの重量比が０．０００１：１〜１：１または０．００１：１〜０．５：１あるいは０．００１：１〜０．１：１であるフィルム。
【請求項２】
前記フィルムがシーラント層を更に含み、前記界面活性剤または界面活性剤の残分が前記シーラント層の中に存在し、前記粘着性付与剤がクマロン−インデン樹脂、テルペン樹脂、ブタジエンスチレン樹脂、ポリブタジエン樹脂、炭化水素樹脂、ロジン材料またはそれらの２種以上の組み合わせを含み、前記界面活性剤がアルカノール、アルカン酸または前記酸の金属塩またはエステルである、請求項１に記載のフィルム。
【請求項３】
前記界面活性剤がソルビタン脂肪酸エステル、グリセロールモノステアレート、グリセロールモノオレエート、脂肪アルコールまたはそれらの２種以上の組み合わせであり、前記フィルムがナイロン、ポリプロピレン、ポリエチレン、イオノマー、酸コポリマー、ポリエチレン酢酸ビニル、ポリエチレンテレフタレート、ポリスチレン、ポリエチレンビニルアルコール、ポリ塩化ビニリデンまたはそれらの２種以上の組み合わせを含むか、またはそれらから製造されている追加の層を任意に含む、請求項１または２に記載のフィルム。
【請求項４】
前記フィルムがエチレン酢酸ビニルコポリマー約５０〜約９０重量％とイオノマー約５〜約４０重量％と滑剤および粘着防止剤を含有するエチレン酢酸ビニルコポリマーマスターバッチ約５〜約１０重量％とのブレンドである前記変性エチレンコポリマーを含むか、または前記変性エチレンコポリマーから製造される、請求項１に記載のフィルム。
【請求項５】
請求項１〜４のいずれか一項に記載のフィルムで覆われている開口端を含む容器であって、農産物、肉、加工調理済み食品または魚類を任意に含む容器。
【手続補正２】
【補正対象書類名】明細書
【補正対象項目名】００６０
【補正方法】変更
【補正の内容】
【００６０】
2008520815.tif 000001
次に、本発明の好ましい態様を示す。
1.  界面活性剤または界面活性剤の残分で被覆されたフィルムであって、前記フィルムがエチレンコポリマーまたは変性エチレンコポリマーおよび粘着性付与剤を含むか、またはそれらから製造され、前記エチレンコポリマーがエチレンと極性モノマー約５〜約５０重量％とから誘導された反復単位を含むコポリマーまたはターポリマーあるいはテトラポリマーであり、前記粘着性付与剤がパラ−クマロン−インデン樹脂、テルペン樹脂、ブタジエンスチレン樹脂、ポリブタジエン樹脂、炭化水素樹脂、ロジンまたはそれらの２種以上の組み合わせを含み、前記モノマーがビニルアルカン酸、アクリル酸、アルキルアクリル酸またはアルキルアクリレートあるいはそれらの２種以上の組み合わせであり、前記モノマーが約２０個以下の炭素原子を含むフィルム。
2.  前記モノマーが酢酸ビニル、ビニルアセテート、プロピオン酸ビニル、アクリル酸、メタクリル酸、エタクリル酸、ビニルアセテート、メチルアクリレート、エチルアクリレート、メチルメタクリレート、エチルメタクリレート、プロピルアクリレート、プロピルメタクリレート、イソプロピルアクリレート、イソプロピルメタクリレート、ブチルアクリレート、ブチルメタクリレート、イソブチルアクリレート、イソブチルメタクリレート、ｔ−ブチルアクリレート、ｔ−ブチルメタクリレート、オクチルアクリレート、オクチルメタクリレート、ウンデシルアクリレート、ウンデシルメタクリレート、オクタデシルアクリレート、オクタデシルメタクリレート、ドデシルアクリレート、ドデシルメタクリレート、２−エチルヘキシルアクリレート、２−エチルヘキシルメタクリレート、イソボルニルアクリレート、イソボルニルメタクリレート、ラウリルアクリレート、ラウリルメタクリレート、２−ヒドロキシエチルアクリレート、２−ヒドロキシエチルメタクリレート、グリシジルアクリレート、グリシジルメタクリレート、ポリ（エチレングリコール）アクリレート、ポリ（エチレングリコール）メタクリレート、ポリ（エチレングリコール）メチルエーテルアクリレート、ポリ（エチレングリコール）メチルエーテルメタクリレート、ポリ（エチレングリコール）ベヘニルエーテルアクリレート、ポリ（エチレングリコール）ベヘニルエーテルメタクリレート、ポリ（エチレングリコール）４−ノニルフェニルエーテルアクリレート、ポリ（エチレングリコール）４−ノニルフェニルエーテルメタクリレート、ポリ（エチレングリコール）フェニルエーテルアクリレート、ポリ（エチレングリコール）フェニルエーテルメタクリレート、ジメチルマレエート、ジエチルマレエート、ジブチルマレエート、ジメチルフマレート、ジエチルフマレート、ジブチルフマレート、ジメチルフマレートまたはそれらの２種以上の組み合わせであり、好ましくは、ビニルアセテート、アクリル酸、メタクリル酸またはアルキル（メタ）アクリレートである、上記１に記載のフィルム。
3.  前記粘着性付与剤がクマロン−インデン樹脂、テルペン樹脂、ブタジエンスチレン樹脂、ポリブタジエン樹脂、炭化水素樹脂、ロジン材料またはそれらの２種以上の組み合わせを含む、上記１に記載のフィルム。
4.  シーラント層を更に含む、上記１〜３のいずれか一項に記載のフィルム。
5.  前記界面活性剤または界面活性剤の残分が前記シーラント層の中に存在する、上記４に記載のフィルム。
6.  ナイロン、ポリプロピレン、ポリエチレン、イオノマー、酸コポリマー、ポリエチレン酢酸ビニル、ポリエチレンテレフタレート、ポリスチレン、ポリエチレンビニルアルコール、ポリ塩化ビニリデンまたはそれらの２種以上の組み合わせを含むか、またはそれらから製造されている追加の層を含む、上記１〜５のいずれか一項に記載のフィルム。
7.  前記フィルムがエチレン酢酸ビニルコポリマー約５０〜約９０重量％とイオノマー約５〜約４０重量％と滑剤および粘着防止剤を含有するエチレン酢酸ビニルコポリマーマスターバッチ約５〜約１０重量％とのブレンドである前記変性エチレンコポリマーを含むか、または前記変性エチレンコポリマーから製造される、上記１〜６のいずれか一項に記載のフィルム。
8.  上記１〜７のいずれか一項に記載のフィルムで覆われている開口端を含む容器であって、農産物、肉、加工調理済み食品または魚類を任意に含む容器。
9.  上記３に記載の界面活性剤を溶媒に溶解させて界面活性剤溶液を製造する工程と、上記１〜７のいずれか一項に記載のフィルム上に前記界面活性剤溶液を被着させて前記フィルム上に被膜を作る工程と、任意に前記被膜を硬化させる工程とを含む方法。